(57)【要約】【課題】  ソケットレンチに、手近にある汎用のＬ型レンチを差し込んでネジを締緩するソケットレンチを脱落させないようにする。【解決手段】  ソケットレンチ頭部の接続受け口孔内にＬ型レンチを差し込んだこの状態で、接続受け口孔内の仕組みでＬ型レンチを把持してソケットレンチが脱落しないようにする。【選択図】図１
2007136651.tif 000002
【特許請求の範囲】
【請求項１】
ソケットレンチの頭部に接続受け口孔を設け、この接続受け口孔の孔の形状は六角形Ｌ型レンチ切断面と同じ形状にして互いに嵌合できるようにし、接続受け口孔上辺の所定位置には嵌装溝を設け、これにスナップリングを嵌装し、このスナップリングの内径で六角形Ｌ型レンチを把持してこの六角形Ｌ型レンチに支持されたソケットレンチが脱落しないようにしたことを特徴としたソケットレンチ。
【請求項２】
ソケットレンチが脱落しないように六角形Ｌ型レンチを把持するスナップリングの代わりにコイル状スプリングで六角型Ｌ型レンチを把持することを特徴とするソケットレンチ。
【請求項３】
コイル状スプリングの形状を六角型に近い円形の形状に形成し、この六角の角が、六角形Ｌ型レンチの六角エッジを接触圧で把持することを特徴とするソケットレンチ。
【請求項４】
ソケットレンチが六角形Ｌ型レンチを把持するための楕円形状スナップピンの両端を挿入する挿入穴を、接続受け口孔の上辺の適所で、接続受け口孔の六角辺の一辺の中間に楕円形状スナップピンの一端を対に挿入できる挿入穴を設け、これより互いに反対の方向にソケットレンチに沿った楕円形状スナップピンの対の一端は、六角の対角線に近い角に設けた挿入穴に挿入し、この挿入したピンの先端は挿入穴より内方に突出して六角形Ｌ型レンチを三方向より圧接して把持することを特徴とするソケットレンチ。
【請求項５】
「請求項１」に記載したソケットレンチの接続受け口孔上辺の所定位置に設けた第１嵌装溝より適宜な間隔位置に第２嵌装溝を設けて、ここでも六角形Ｌ型レンチを二重に把持することを特徴とするソケットレンチ。
【発明の詳細な説明】
【技術分野】
【０００１】  本発明は、ボルトのネジ等を締め付け、又は緩める六角形ナット形状にソケットレンチを被せてこれをＬ型レンチで、六角型ナット形状を回転操作してネジを締緩する技術に関するものである。
【背景技術】
【０００２】  六角型ナット形状を回転操作してネジを締緩するには一般には六角型ナットの寸法に合わせたスパナまたはメガネレンチ、モンキーレンチ等で操作するが、この六角型ナットの配置位置によっては（例えば窪み穴に配置）  前記の工具では使用不可能である。そこで六角型ナットに合わせたＴ型ボックスが存在するが、これは六角型ナットの形状に合わせた口径のＴ型ボックスを多数取り揃える不合理さがある。【０００３】  この不合理さを解消するためのソケットレンチで、これでネジを締緩するための回転操作をする。その回転操作する現状は、ソケットレンチ頭部の接続受け口四角孔に接続嵌合した四角柱片で回転操作する。この四角柱片は、ハンドルを伴なったレンチと一体に結合した工具で、ソケットレンチ専用の工具である。【０００４】  このソケットレンチ専用の工具では、通称スピンナハンドル、ラチエットハンドル、スライドヘッドハンドル等のソケットレンチ専用の工具を常備し、又携行しなければならない必要なもので、ソケットレンチを使用するには必要とする工具である。【０００５】  このような事から、多角形状のレンチを利用した締付工具、またエクステンションバーを利用した締付工具、またこのような考案に関連した公開公報も見受けられる。
【特許文献１】  特開２０００−２３７９６６
【特許文献２】  特開２００１−３４７４６３
【特許文献３】  特開２００１−１８１７５
【特許文献４】  特開１９９４−３３７０１８
【発明の開示】
【発明が解決しようとする課題】
【０００６】  解決しようとする問題点は、ソケットレンチでネジを締め付けたり、緩めたりする回転操作をするソケットレンチ専用の工具が必要な点である。
【課題を解決するための手段】
【０００７】  上記の課題を解決するには、ソケットレンチ頭部に接続受け口四角孔を設けたことにより、これに嵌合する形状の四角柱片が必要であり、又これを回転さして係合先のソケットレンチを作用させることから、この回転させる機能に合わせたそれぞれの構造のソケットレンチ専用の特殊工具が必要であった。【０００８】  そこで本発明では、手近にある汎用の六角形Ｌ型レンチのレンチ切断面の六角形状を、このケットレンチ頭部の接続受け口孔に設け、これに汎用のＬ型レンチを接続嵌合してソケットレンチがＬ型レンチから外れたり、落下しないように支持しながら回転操作して使用できると、従来のソケットレンチ専用の特殊工具と同様の作業が出来ることで、これを本発明は最も主要な特徴とする．
【発明の効果】
【０００９】  本発明のソケットレンチは、手近にある汎用のＬ型レンチでソケットレンチを回転操作が出来ることから手近の工具が即使用でき、ネジを締緩するソケットを除いて作業工具が簡素かされ作業工具の保有保持、携行が軽減される。またＬ型レンチの長い方のレンチ先端にある、六角エッジを有する球状部を、ソケットレンチ頭部の接続受け口孔に対してＬ型レンチの軸線を傾けて接続係合すると、球状部の揺らぎ特性からこの状態でもソケットレンチがネジの軸線に沿って回転でき、ユニバーサルジョイントの機能と同様であるからこのユニバーサルジョイントの部品は省略でき、又この状態でＬ型レンチを把持しながらＬ型レンチの短柱を指先でプロペラを早く回すように回転操作すると、ソケットレンチでも仮締め、又は緩める作業が敏速にできる。
【発明を実施するための最良の形態】
【００１０】  先ず、ソケットレンチでネジを仮締めするために、六角形Ｌ型レンチが嵌合できるソケットレンチ頭部の接続受け口孔へ、六角型Ｌ型レンチの長柱部先端に設けた六角エッジを有する球状部を差し込むと、接続受け口孔の上部の係止溝に嵌装したスナップリングの内径が内側方向への押圧力を受けながらこの球状の首部へ挿嵌した状態になり、この差し込まれた球状部は外方に僅少な力で引っ張っても抜け出せない。この状態でＬ型レンチを回転操作すると、ソケットレンチは外れ落ちしないで揺動しながらネジの軸線に沿って六角ナット、ボールトが回転力に応じた締緩力で作動し、仮締めができ、また緩めることも出来る。【００１１】  次に、ソケットレンチの接続受け口孔に球状部を差し込んだ状態のＬ型レンチを更にソケットレンチの奥側に押し込むと、先に差し込んだ球状部の先端頭部を係止していた第２のスナップリングが球状頭部の形状でスナップリングを拡張し、この位置に係止されていた球状部がこの第２のスナップリングを挿通して球状部がソケットレンチの奥に進むと、これに続くＬ型レンチの第１スナップリングと第２スナップリングの間に進みこんだ正規の六角型Ｌ型レンチの側面と、接続受け口孔の側壁との形状が合致して嵌合把持した状態であるからＬ型レンチに嵌合したソケットレンチに最大のトルクがかけられ、ソケットレンチがネジを強力に締め付けることができる。
【実施例１】
【００１２】  図１は、本発明のソケットレンチの１実施例の断面図であって、ソケットレンチ１の頭部の接続受け口孔２の孔の形状を、六角形Ｌ型レンチ５の切断面と同じ形状にし、この接続受け口孔２上辺の所定位置に第１嵌装溝４を設け、これに第１スナップリング３を嵌装した接続受け口孔２へ先端球状６を有するＬ型レンチ５を挿入すると、この第１スナップリング３の内径が拡張して、ここに差し込まれるＬ型レンチ５の先端球状６の首部７に第１スナップリング３が嵌まり込み、またある程度の引き抜き力では首部７が抜け出る程度の内側方向への押圧力が掛かる状態の内径にする。【００１３】  そして、先端球状の首部７に第１スナップリングの内径が嵌まり込んで先端球状６が没入した状態の位置からは前に進まないように、Ｌ型レンチ５の先端球状６の頭部を係止するための第２スナップリング８を第２図のように嵌装し、ソケットレンチ１の軸線を中心４のピンの一端が同時に対に入る挿入穴１３とし、ここから両方に分かれて楕円形状スナッピン１４の一端のピンは対角線に近いそれぞれの両角に設けた二つの挿入穴１５に挿入し、このピンの先端１６は、挿入穴１３，１５より僅かに内方に突出してＬ型レンチ５に三方向から圧接してＬ型レンチ５からソケットレンチ５が抜け外れないようにし。【００１９】  また、ピンの先端１６の作用は球状部６の後方の首部７に嵌まり込んで接続受け口穴２の入り口でＬ型レンチ５の先端球状６が没入した状態をピンの先端１６の圧接作用でこれよりソケットレンチ１の奥側へは嵌まり込ませずにこの状態を維持し、先端球状６が揺動首振運動してソケットレンチ１がネジの軸線に沿って回転し、ネジの締緩作業が出来る。
【産業上の利用可能性】
【００２０】  ソケットレンチ下部の六角型ナットに噛み合う口金に、楕円形状のスナッピンを装着し、このピンの先端を三方向から作用させると、この口金に噛み合わせたナット、またはボルトがネジ穴に這入りやすいように嵌め合わせられる。またこの口金でネジから緩み取られたナット、ボルトはこの口金に喰われた状態で自然には落下しない。
【図面の簡単な説明】
【００２１】
【図１】  本発明のソケットレンチへ実施した断面図である。（実施例１）
【図２】  接続受け口孔部分を拡大した断面図である。（実施例１）
【図３】  コイルスプリングの平面図である。（実施例２）
【図４】  六角形状にしたコイルスプリングの平面図である。（実施例３）
【図５】  接続受け口孔部分の挿入穴を示した断面図である。（実施例４）
【図６】  ソケットレンチへ楕円形状のスナップピンを配置した平面図である。
【符号の説明】
【００２２】  １    ソケットレンチ
２    接続受け口孔
３    第１スナップリング
４    第１嵌装溝
５    六角形Ｌ型レンチ
６    先端球状
７    首部
８    第２スナップリング
９    第２嵌装溝
１０  コイル状スプリング
１１  六角形状に形成したコイル状スプリング
１２  コイル状スプリングの角
１３  挿入穴
１４  楕円形状スナップピン
１５  挿入穴
１６  ピンの先
【図１】
2007136651.tif 000003
【図２】
2007136651.tif 000004
【図３】
2007136651.tif 000005
【図４】
2007136651.tif 000006
【図５】
2007136651.tif 000007
【図６】
2007136651.tif 000008